(57)【要約】【課題】医療機関内のネットワークのセキュリティを低下させることなく、検査装置と外部とを簡易に通信可能にし得る、検査システムを提供する。【解決手段】検査システム１は、プログラムを実行可能な通信端末１０と、検査装置２０とを備えている。通信端末１０は、外部のネットワーク３０との通信を可能にする通信部１３と、プログラムの実行によって構築され、且つ、利用者からの指示を検査装置２０に対して出力する、検査装置操作部１２と、を備えている。検査装置２０は、通信端末１０に接続され、検査装置操作部１２から出力された指示に応じて検査を実行する。【選択図】図２
2013054432.tif 000002
【特許請求の範囲】
【請求項１】
プログラムを実行可能な通信端末と、検査装置とを備え、
前記通信端末は、
外部のネットワークとの通信を可能にする通信部と、
前記プログラムの実行によって構築され、且つ、利用者からの指示を前記検査装置に対して出力する、検査装置操作部と、を備え、
前記検査装置は、前記通信端末に接続され、前記検査装置操作部から出力された前記指示に応じて検査を実行する、
ことを特徴とする検査システム。
【請求項２】
前記検査装置が、前記検査の実行後に得られた検査結果を、前記通信端末に出力でき、
前記検査装置操作部が、前記検査結果が出力されてきた場合に、前記検査結果を、前記通信端末が備える画面に表示する、
請求項１に記載の検査システム。
【請求項３】
前記検査装置操作部が、前記通信端末が備える画面上に、前記利用者からの前記検査装置への指示を受け付けるための、グラフィカルユーザインタフェースを表示する、請求項１または２に記載の検査システム。
【請求項４】
前記検査装置操作部が、前記通信部による通信の相手先を、前記外部のネットワークに接続された特定のサーバに制限する、
請求項１〜３のいずれかに記載の検査システム。
【請求項５】
前記通信端末が、メモリを備え、
前記検査装置操作部が、予め設定された条件が満たされる場合に、前記メモリに格納されている情報の全部又は一部を削除する、
請求項１〜４のいずれかに記載の検査システム。
【請求項６】
前記検査装置操作部が、前記通信部によって、前記メモリに格納されている情報が、前記外部のネットワークに送信された場合に、送信された前記情報を前記メモリから削除する、
請求項５に記載の検査システム。
【請求項７】
前記検査装置操作部が、前記プログラムの実行が終了される場合に、前記メモリに格納されている情報の全部又は一部を削除する、
請求項５に記載の検査システム。
【請求項８】
前記検査装置操作部が、前記検査装置と前記通信端末との接続が解除された場合に、前記メモリに格納されている情報の全部又は一部を削除する、
請求項５に記載の検査システム。
【請求項９】
前記検査装置が、内部の状態を示すメンテナンス情報を、前記通信端末に出力でき、
前記検査装置操作部が、前記メンテナンス情報が出力されてきた場合に、前記メンテナンス情報を前記メモリに格納させ、その後、格納されている前記メンテナンス情報を、前記通信部によって、前記外部のネットワークに接続されたサーバ装置に送信すると共に、前記メンテナンス情報を前記メモリから削除する、請求項６に記載の検査システム。
【請求項１０】
前記通信部が、符号分割多重接続方式を採用した携帯電話網、又はローカルエリアネットワークとの通信を可能にする、請求項１〜９のいずれかに記載の検査システム。
【請求項１１】
前記通信端末が、携帯型の通信端末である、請求項１〜１０のいずれかに記載の検査システム。
【発明の詳細な説明】
【技術分野】
【０００１】
本発明は、医療用の検査装置を備えた検査システムに関する。
【背景技術】
【０００２】
近年、医療機関においては、電子カルテの導入等、患者情報の電子化が進められている。このため、各検査装置、又は検査装置に接続された端末は、医療機関内のＬＡＮ（Local Area Network）を介して、サーバに接続されている。そして、各検査装置で得られた検査結果は、サーバによって、電子カルテの情報等として一元管理されている（例えば、特許文献１参照。）。
【０００３】
また、医療機関では、尿検査装置、Ｘ線検査装置、血液検査装置等、多数の装置が導入されているが、これらの多くはコンピュータでのプログラム制御によって動作し、装置内で問題が生じた場合は、コンピュータによってログが記録される。
【０００４】
このため、検査装置メーカのメンテナンス担当者は、記録されているログに基づいて、適切なメンテナンス及び修理を行なうことができる。またメンテナンス担当者は、検査装置のプログラムのバージョンを即座に特定でき、古い場合は、直ちに更新作業を手配することができる。
【０００５】
更に、メンテナンス担当者によるメンテナンスを迅速に行なうため、検査装置の情報を、医療機関のＬＡＮを介して、メーカのサーバに送信する、メンテナンスシステムが開発されている。このシステムによれば、メンテナンス担当者は、遠隔から検査装置の状態を把握できるため、医療機関は、検査装置の運用を停止する期間を極力短くすることができる。
【先行技術文献】
【特許文献】
【０００６】
【特許文献１】特開２００１−１０１３２０号公報（第３図）
【発明の概要】
【発明が解決しようとする課題】
【０００７】
しかしながら、上述のメンテナンスシステムを導入するためには、医療機関のＬＡＮをインターネット等の外部のネットワークに接続する必要があり、医療機関で管理している患者の情報が漏洩する危険性が発生する。このため、実際は、上述のメンテナンスシステムの導入は困難となっている。
【０００８】
一方、検査装置とメーカのサーバとの間に、医療機関のＬＡＮを経由しない専用の回線を設置すれば、情報漏洩の危険性は大きく低下するが、この場合は、導入コスト及び維持コストが高くなりすぎてしまう。その他、検査装置にアナログモデムを組み込み、アナログ回線を介して、検査装置とメーカのサーバとを接続することも考えられるが、この場合は、通信費用が高くなりすぎるという問題、通信速度が遅くなりすぎるという問題が生じてしまう。
【０００９】
本発明の目的の一例は、上記問題を解消し、医療機関内のネットワークのセキュリティを低下させることなく、検査装置と外部とを簡易に通信可能にし得る、検査システムを提供することにある。
【課題を解決するための手段】
【００１０】
上記目的を達成するため、本発明における検査システムは、プログラムを実行可能な通信端末と、検査装置とを備え、前記通信端末は、外部のネットワークとの通信を可能にする通信部と、前記プログラムの実行によって構築され、且つ、利用者からの指示を前記検査装置に対して出力する、検査装置操作部と、を備え、前記検査装置は、前記通信端末に接続され、前記検査装置操作部から出力された前記指示に応じて検査を実行する、ことを特徴とする。
【００１１】
以上のように、本発明では、外部のネットワークと検査装置との間には、通信端末が存在し、外部のネットワークと医療機関内のネットワークとは接続されないので、第三者が、検査システムを介して、医療機関内のネットワークに浸入することは極めて困難である。本発明によれば、医療機関内のネットワークのセキュリティを低下させることなく、検査装置と外部との通信が可能になる。また、通信端末は、検査装置のコントローラとしても機能するので、検査装置のコストの低減も図られる。
【００１２】
上記本発明における検査システムは、前記検査装置が、前記検査の実行後に得られた検査結果を、前記通信端末に出力でき、前記検査装置操作部が、前記検査結果が出力されてきた場合に、前記検査結果を、前記通信端末が備える画面に表示する、態様であるのが好ましい。この態様によれば、検査システムのオペレータは、通信端末の画面上で、検査結果を確認できる。
【００１３】
また、上記本発明における検査システムは、前記検査装置操作部が、前記通信端末が備える画面上に、前記利用者からの前記検査装置への指示を受け付けるための、グラフィカルユーザインタフェースを表示する、態様であるのも好ましい。この態様によれば、通信端末における操作性の向上が図られる。
【００１４】
また、上記本発明における検査システムは、前記検査装置操作部が、前記通信部による通信の相手先を、前記外部のネットワークに接続された特定のサーバに制限する、態様であるのが好ましい。この場合、通信端末が、ネットワーク回線を通じてウィルス等に感染してしまったり、悪意のあるアプリケーションプログラムを誤って導入してしまったり、する可能性を低下させることができる。
【００１５】
更に、上記本発明における検査システムは、前記通信端末が、メモリを備え、前記検査装置操作部が、予め設定された条件が満たされる場合に、前記メモリに格納されている情報の全部又は一部を削除する、態様であるのが好ましい。この態様によれば、検査システムにおける更なるセキュリティの向上が図られることになる。
【００１６】
また、上記の情報の削除が行なわれる態様では、前記検査装置操作部が、前記通信部によって、前記メモリに格納されている情報が、前記外部のネットワークに送信された場合に、送信された前記情報を前記メモリから削除する、のが好ましい。
【００１７】
そして、上記において、前記検査装置が、内部の状態を示すメンテナンス情報を、前記通信端末に出力でき、前記検査装置操作部が、前記メンテナンス情報が出力されてきた場合に、前記メンテナンス情報を前記メモリに格納させ、その後、格納されている前記メンテナンス情報を、前記通信部によって、前記外部のネットワークに接続されたサーバ装置に送信すると共に、前記メンテナンス情報を前記メモリから削除する、のが更に好ましい。
【００１８】
また、検査装置からメンテナンス情報が出力され場合は、検査システムのメーカのメンテナンス担当者は、メンテナンス情報に基づき、適切なメンテナンス及び修理を行なうことができる。加えて、メンテナンス担当者は、検査装置のプログラムのバージョンを即座に特定でき、更新が必要な場合は、更新作業を手配することができる。
【００１９】
更に、上記の情報の削除が行なわれる態様では、前記検査装置操作部が、前記プログラムの実行が終了される場合に、前記メモリに格納されている情報の全部又は一部を削除する、のも好ましい。加えて、上記の情報の削除が行なわれる態様では、前記検査装置操作部が、前記検査装置と前記通信端末との接続が解除された場合に、前記メモリに格納されている情報の全部又は一部を削除する、のも好ましい。
【００２０】
更に、上記本発明における検査システムでは、前記通信部が、符号分割多重接続方式を採用した携帯電話網、又はローカルエリアネットワークとの通信を可能にするのが、良い。また、上記本発明における検査システムでは、前記通信端末が、携帯型の通信端末であるのが良い。
【発明の効果】
【００２１】
以上のように、本発明における検査システムによれば、医療機関内のネットワークのセキュリティを低下させることなく、検査装置と外部とを簡易に通信可能にすることができる。
【図面の簡単な説明】
【００２２】
【図１】図１は、本発明の実施の形態における検査システムが導入された医療機関のネットワークを示す図である。
【図２】図２は、本発明の実施の形態における検査システムの構成を示すブロック図である。
【図３】図３は、本発明の実施の形態で用いられる通信端末の構成を示すブロック図である。
【発明を実施するための形態】
【００２３】
（実施の形態）
以下、本発明の実施の形態における、検査システムについて、図１〜図３を参照しながら説明する。
【００２４】
最初に、図１を用いて検査システムの使用状況について説明する。図１は、本発明の実施の形態における検査システムが導入された医療機関のネットワークを示す図である。
【００２５】
図１に示すように、本実施の形態における検査システム１は、通信端末１０と検査装置２０とを備え、医療機関のＬＡＮ５０に接続されている。また、ＬＡＮ５０には、更に、医療機関で利用されるデータを管理する管理サーバ６０と、医師及び看護師等の従事者が使用する端末７０とが接続されている。
【００２６】
また、検査システム１は、通信端末１０を備えているが、検査システム１とＬＡＮ５０との接続は、検査装置２０によって有線又は無線によって、直接行なわれている。つまり、本実施の形態において、検査装置２０によって得られる検査結果は、検査装置２０からＬＡＮ５０を介して管理サーバ６０に送信される。
【００２７】
一方、検査システム１は、外部のネットワーク３０に対しては、通信端末１０を介して接続されている。従って、本実施の形態では、第三者が、外部から、検査システム１を介して、ＬＡＮ５０に浸入することは極めて困難であり、ＬＡＮ５０のセキュリティが低下することはない。なお、図１において、４０は、検査システム１の製造メーカのサーバ装置を示している。
【００２８】
次に、図２を用いて、本実施の形態における検査システム１の構成について説明する。図２は、本発明の実施の形態における検査システムの構成を示すブロック図である。
【００２９】
図２に示すように、通信端末１０は、ＯＳ（Operating System）１１を搭載し、ＯＳ上でプログラムを実行できるように構成されている。また、通信端末１０は、ＯＳ１１上でのプログラムの実行によって構築された検査装置操作部１２と、外部のネットワーク３０との通信を可能にする通信部１３とを備えている。
【００３０】
このうち、検査装置操作部１２は、検査システム１のオペレータから、検査装置２０に対する指示が入力されると、入力された指示を検査装置２０に対して出力する。検査装置２０は、通信端末１０に接続されており、検査装置操作部１２から指示が出力されると、出力された指示に応じて検査を実行する。
【００３１】
このように、本実施の形態では、通信端末１０は、検査装置２０と外部との通信のためだけでなく、検査装置２０のコントローラとしても機能する。よって、本実施の形態によれば、従来に比べて、検査装置２０自体のコストを低減させることができる。
【００３２】
ここで、本実施の形態における検査システム１について更に具体的に説明する。本実施の形態では、通信端末１０としては、アプリケーションプログラムの導入が可能なＯＳを搭載した、携帯型の通信端末が挙げられる。具体的には、アンドロイド（登録商標）、ＭＡＣ  ＯＳ  Ｘ（登録商標）、Ｗｉｎｄｏｗｓ  ｍｏｂｉｌｅ（登録商標）等の携帯端末用のＯＳを搭載した、いわゆる「スマートフォン」、更には、ｉＰａｄ（登録商標）に代表されるタブレット型の情報端末が挙げられる。
【００３３】
通信部１３は、携帯電話、スマートフォン、情報端末等の通信モジュールである。具体的には、通信モジュールとしては、携帯電話網への接続を可能にする通信モジュール、無線によるＬＡＮ（Local Area Network）への接続を可能にする通信モジュール、及びこれら両方の接続を可能にする通信モジュール等が挙げられる。この場合、外部のネットワーク３０としては、携帯電話網、ＬＡＮが挙げられる。但し、人体への影響が少ない点から、携帯電話網は、符号分割多重接続方式（ＣＤＭＡ接続方式）を採用した携帯電話網であるのが好ましい。よって、通信部１３は、ＣＤＭＡ接続方式を採用した携帯電話網への接続を可能にする通信モジュールであるのが特に好ましい。
【００３４】
また、図２に示すように、本実施の形態では、通信端末１０は、検査装置操作部１２及び通信部１３に加えて、入力部１４と、液晶表示パネルといったディスプレイパネル１５と、インターフェイス１６と、メモリ１７とを備えている。
【００３５】
このうち、入力部１４は、キーボード、タッチパネルといった、通信端末１０に搭載された入力機器である。検査システム１のオペレータは、入力部１４を介して、検査装置２０に対する指示を入力する。
【００３６】
また、インターフェイス１６は、有線ケーブルを介したデータの入出力に用いられる。本実施の形態では、通信端末１０は、インターフェイス１６及び有線ケーブルを介して、検査装置２０に接続されている。メモリ１７は、典型的には、ＤＲＡＭ（Dynamic Random Access Memory）等の揮発性の記憶装置であり、通信端末１０で利用される情報は全てメモリ１７に格納される。
【００３７】
本実施の形態では、検査装置操作部１２は、ディスプレイパネル１５の画面上に、検査システム１のオペレータからの検査装置２０への指示を受け付けるため、グラフィカルユーザインタフェース（図１及び図２において図示せず）を表示することができる。この場合、オペレータは、グラフィカルユーザインタフェース上で、検査装置２０に対して求める指示、例えば、検査実行、検査停止、データ出力等を入力する。
【００３８】
また、本実施の形態では、図２に示すように、検査装置２０は、制御装置２１と、検査実行部２２とを備えている。制御装置２１は、検査装置操作部１２から出力された指示を受信すると、それに応じて検査実行部２２を動作させ、検査を実行する。
【００３９】
検査実行部２２は、検査装置２０の制御装置２１以外の部分、即ち、実質的に検査を行なう部分である。検査実行部２２の構成は、検査装置２０の種類によって異なっている。例えば、検査装置２０が、尿検査装置であれば、検査実行部は、光学部品、試料を配置するためのステージ、分注ための機構、駆動モータ等を含む。
【００４０】
また、本実施の形態では、制御装置２１は、検査の実行後に得られた検査結果を、通信端末１０に出力することができる。そして、検査結果が出力されてくると、通信端末１０において、検査装置操作部１２は、この検査結果を、メモリ１７に一旦格納した後、ディスプレイパネル１５の画面に表示する。よって、オペレータは、通信端末１０の画面上で、検査結果を確認できる。
【００４１】
更に、制御装置２１は、検査装置２０の内部の状態を示すメンテナンス情報を、通信端末１０に出力することもできる。メンテナンス情報としては、例えば、プログラムのバージョン情報、ポンプユニットの動作回数、光源デバイス（ＬＥＤ、ハロゲンライト等)の照射時間、装置の校正記録、動作時間、測定回数、精度管理情報、プログラム動作ログ、装置メニューの設定パラメータ等が挙げられる。
【００４２】
また、メンテナンス情報が出力されてくると、検査装置操作部１２は、通信部１３によって、出力されてきたメンテナンス情報を、一旦、メモリ１７に格納する。その後、検査装置操作部１２は、メモリ１７に格納されているメンテナンス情報を、外部のネットワーク３０に接続されたサーバ装置４０に送信することができる。サーバ装置４０は、上述したように、検査システム１の製造メーカによって管理されている。
【００４３】
メンテナンス情報が、メーカのサーバ装置４０に送信されてくる場合、背景技術の欄で述べたように、メーカのメンテナンス担当者は、メンテナンス情報に基づき、適切なメンテナンスを行なうことができる。また、メンテナンス情報に、プログラムのバージョン情報が含まれている場合は、メンテナンス担当者は、検査装置のプログラムのバージョンを即座に特定でき、更新が必要な場合は、更新作業を手配することができる。
【００４４】
また、本実施の形態では、通信端末１０において、検査装置操作部１２は、通信部１３による通信の相手先を、外部のネットワーク３０に接続されたサーバ装置４０といった特定のサーバ装置に制限するのが好ましい。これは、通信端末１０が、ネットワーク経由でウィルス等に感染してしまったり、悪意のあるアプリケーションプログラムを誤って導入してしまったり、するのを防止するためである。
【００４５】
更に、本実施の形態では、通信端末１０において、検査装置操作部１２は、予め設定された条件が満たされる場合に、メモリ１７に格納されている情報の全部又は一部を削除するのが好ましい。検査システム１における更なるセキュリティの向上を図るためである。
【００４６】
例えば、通信部１３によって、メモリ１７に格納されている情報が、外部のネットワーク３０に送信された場合に、検査装置操作部１２は、送信された情報をメモリ１７から削除する。具体的には、上述したように、メンテナンス情報が送信されてきた場合に、検査装置操作部１２は、通信部１３によって、メンテナンス情報を外部のネットワーク３０に送信すると共に、送信したメンテナンス情報を通信端末１０のメモリから削除する。
【００４７】
また、検査装置操作部１２は、プログラムの実行が終了される場合に、メモリ１７に格納されている情報の全部又は一部を削除しても良い。更に、検査装置操作部１２は、検査装置２０と通信端末１０との接続が解除された場合にも、メモリ１７に格納されている情報の全部又は一部を削除しても良い。
【００４８】
また、検査装置２０が尿検査装置であり、且つ、検査結果が通信端末１０に出力されている場合では、検査装置操作部１２は、検査結果の表示後に、検査システム１のオペレータに対して、検体の再検査（顕微鏡検査）が必要であるかどうかの判定を入力させるのが好ましい。
【００４９】
そして、この場合、検査装置操作部１２は、検体の再検査率（鏡検率）を算出し、算出した再検率も、表示させるのが好ましい。また、検査装置操作部１２は、算出した再検率が設定範囲内であるかどうかを判定し、この判定結果もディスプレイパネル１５の画面に表示させるのが特に好ましい。尿検査における再検率は、検査システムのオペレータによってバラツキやすいが、このような態様とすれば、これを抑制することができる。
【００５０】
ここで、本実施の形態における通信端末１０の具体構成について図３を用いて説明する。図３は、本発明の実施の形態で用いられる通信端末の構成を示すブロック図である。図３の例では、通信端末１０は、スマートフォンである。
【００５１】
図３に示すように、通信端末１０は、ＣＰＵ（Central Processing Unit）１０１と、メモリ１７と、通信モジュール１０３と、タッチパネル１０４と、表示コントローラ１０５と、記憶媒体１０６と、インターフェイス１６とを備えている。また、これらは、バス１０２を介して、互いにデータ通信可能に接続されている。
【００５２】
ＣＰＵ１０１は、記憶媒体１０６に格納されたプログラム（コード）をメモリ１７に展開し、これらを所定順序で実行する。また、記録媒体１０６の具体例としては、ＣＦ（Compact Flash）及びＳＤ（Secure Digital）等の汎用的な半導体記憶デバイスが挙げられる。
【００５３】
通信モジュール１０３は、通信のためのＲＦ（Radio Frequency）回路等を備え、通信部１３として機能する。タッチパネル１０４は、入力部１４として機能する。表示コントローラ１０５は、ディスプレイパネル１５と接続され、ディスプレイパネル１５での表示を制御する。
【００５４】
そして、図３に示す構成において、記憶媒体１０６に、検査装置操作部１２（図２参照）を構築するためのプログラムを格納しておくと、ＣＰＵ１０１は、当該プログラムをメインメモリ１０２に展開して実行する。結果、ＣＰＵ１０１は、検査装置操作部１２として機能し、図１及び図２を用いて説明した処理を実行する。
【００５５】
以上のように、本実施の形態では、検査装置２０に通信端末１０が組み合わされるので、医療機関内のＬＡＮ５０のセキュリティを低下させることなく、検査装置２０と外部との通信が可能になる。また、通信端末１０が、検査装置２０のコントローラを兼ねているので、検査装置２０における製造コストの低減も図られる。
【産業上の利用可能性】
【００５６】
本発明によれば、医療機関内のネットワークのセキュリティを低下させることなく、検査装置と外部との通信が可能になる。本発明は、医療用の検査装置に有用である。
【符号の説明】
【００５７】
１  検査システム
１０  通信端末
１１  ＯＳ
１２  検査装置操作部
１３  通信部
１４  入力部
１５  ディスプレイパネル
１６  インターフェイス
１７  メモリ
２０  検査装置
２１  制御装置
２２  検査実行部
３０  外部ネットワーク
４０  検査システムのメーカのサーバ装置
５０  医療機関のＬＡＮ
６０  医療機関のサーバ
７０  医療機関で用いられる端末
１０１  ＣＰＵ
１０２  バス
１０３  通信モジュール
１０４  タッチパネル
１０５  表示コントローラ
１０６  記録媒体
【図１】
2013054432.tif 000003
【図２】
2013054432.tif 000004
【図３】
2013054432.tif 000005